(57)【特許請求の範囲】
【請求項１】
ユーザに装着可能にされた電子時計において、
所定の外部装置と無線通信を行う無線通信手段と、
前記無線通信手段により前記外部装置と無線接続を結んで無線通信可能な状態にする無線接続制御手段と、
当該電子時計の不使用状態と使用状態とを検出する状態検出手段と、
前記状態検出手段により不使用状態の検出が所定時間続いた場合に所定機能を停止する省電力モードへ移行させる省電力制御手段と、
省電力モードへ移行した後に前記状態検出手段により使用状態が検出された場合に当該省電力モードを解除する省電力解除制御手段と、
を備え、
前記省電力制御手段は、
省電力モードへ移行する際に前記無線接続が切断されていなければ当該無線接続を切断し、
前記省電力解除制御手段は、
前記省電力モードの解除時に、前記状態検出手段により使用状態が最後に検出されてから省電力モードへ移行するまでの期間に対する前記無線接続の接続状態に基づいて、前記無線接続制御手段に無線接続を結ばせる処理を開始させるタイミングを制御することを特徴とする電子時計。
【請求項２】
前記省電力解除制御手段は、
省電力モードへの移行の際に前記無線接続が切断されていない第１移行パターンと、前記状態検出手段により使用状態が最後に検出された後に前記無線接続が切断されて省電力モードへ移行した第２移行パターンと、前記状態検出手段により使用状態が最後に検出されるより前に前記無線接続が切断されていて省電力モードへ移行した第３移行パターンとを、それぞれ判別する判別手段を備え、
省電力モードの解除後に前記無線接続を結ばせる処理を開始させるタイミングを、少なくとも前記第１移行パターンと前記第３移行パターン、或いは、前記第２移行パターンと前記第３移行パターンとで異ならせることを特徴とする請求項１記載の電子時計。
【請求項３】
前記省電力解除制御手段は、
前記第１移行パターン又は前記第２移行パターンで省電力モードへ移行した場合に、省電力モードを解除する際に前記無線接続制御手段に無線接続を結ばせる処理を開始させる一方、
前記第３移行パターンで省電力モードへ移行した場合に、省電力モードを解除した後、所定時間を開けてから前記無線接続制御手段に無線接続を結ばせる処理を開始させる
ことを特徴とする請求項２記載の電子時計。
【請求項４】
前記省電力解除制御手段は、
前記省電力モードの解除後に前記無線接続制御手段により無線接続を結ばせる処理を実行させて無線接続できなかった場合に、再度、無線接続を結ばせる処理を実行させるまでの時間間隔を、前記第３移行パターンで省電力モードへ移行した場合と、前記第１移行パターン又は前記第２移行パターンで省電力モードへ移行した場合とで異ならせる
ことを特徴とする請求項２又は３に記載の電子時計。
【請求項５】
前記省電力解除制御手段は、
前記無線接続制御手段により無線接続を結ばせる一回分の処理時間を、前記第３移行パターンで省電力モードへ移行した場合と、前記第１移行パターン又は前記第２移行パターンで省電力モードへ移行した場合とで異ならせる
ことを特徴とする請求項２〜４の何れか一項に記載の電子時計。
【請求項６】
前記状態検出手段が不使用状態を検出している継続時間を計数する不使用状態カウンタと、
前記無線通信手段の無線接続が切断されている継続時間を計数する無線切断時間カウンタと、
を備え、
前記判別手段は、前記無線切断時間カウンタの計数値と、省電力モードへ移行する前記不使用状態カウンタの計数値とに基づいて前記第１移行パターン〜前記第３移行パターンの判別を行うことを特徴とする請求項２〜５の何れか一項に記載の電子時計。
【請求項７】
前記状態検出手段は、動きの有無を検出する動き検出手段を含み、動きの無いときに不使用状態の検出とすることを特徴とする請求項１〜６の何れか一項に記載の電子時計。
【発明の詳細な説明】
【技術分野】
【０００１】
この発明は、ユーザに装着可能にされ、且つ、無線通信手段を備えた電子時計に関する。
【背景技術】
【０００２】
近年、例えば携帯電話機と腕時計とをブルートゥース（Bluetooth：登録商標）などの通信手段により無線接続させ、携帯電話機と腕時計との間でデータ通信を行わせて様々な連携機能を提供するシステムが開発されている。
【０００３】
また、ユーザに装着されて使用される電子時計において、電子時計の不使用の状態が所定時間続いた場合に、所定の機能が停止される省電力モードへ移行して節電を行う電子時計もある（例えば特許文献１を参照）。
【先行技術文献】
【特許文献】
【０００４】
【特許文献１】特開２０１０−１１７２８６号公報
【発明の概要】
【発明が解決しようとする課題】
【０００５】
無線通信においては、機器同士が無線接続されているときには、互いに所定のタイミングで少ない回数電波を送受信することで消費電力を小さく抑えることができる一方、切断されている状態から無線接続を結ばせるときには電波を長い期間多くの回数送受信する必要があることから消費電力は大きくなる。
【０００６】
そのため、ユーザに装着されて使用される電子時計に、省電力モードの機能と、無線通信の機能とを付加した場合、なんら工夫がないと、省電力モードが解除されたときに自動的に無線接続を結ぶ処理が実行されるようにしておくと、周囲に通信相手の機器が無いときも無線接続を結ぶ処理が実行されて、無駄な消費電力が増大するという課題が生じる。
【０００７】
この発明の目的は、ユーザに装着されて使用されるとともに無線通信手段を備えた電子時計において、省電力モードが解除された際、適切な無線接続の制御を行って無駄な消費電力の低減を図ることのできる電子時計を提供することにある。
【課題を解決するための手段】
【０００８】
上記目的を達成するため、請求項１記載の発明は、
ユーザに装着可能にされた電子時計において、
所定の外部装置と無線通信を行う無線通信手段と、
前記無線通信手段により前記外部装置と無線接続を結んで無線通信可能な状態にする無線接続制御手段と、
当該電子時計の不使用状態と使用状態とを検出する状態検出手段と、
前記状態検出手段により不使用状態の検出が所定時間続いた場合に所定機能を停止する省電力モードへ移行させる省電力制御手段と、
省電力モードへ移行した後に前記状態検出手段により使用状態が検出された場合に当該省電力モードを解除する省電力解除制御手段と、
を備え、
前記省電力制御手段は、
省電力モードへ移行する際に前記無線接続が切断されていなければ当該無線接続を切断し、
前記省電力解除制御手段は、
前記省電力モードの解除時に、前記状態検出手段により使用状態が最後に検出されてから省電力モードへ移行するまでの期間に対する前記無線接続の接続状態に基づいて、前記無線接続制御手段に無線接続を結ばせる処理を開始させるタイミングを制御することを特徴としている。
【０００９】
請求項２記載の発明は、請求項１記載の電子時計において、
前記省電力解除制御手段は、
省電力モードへの移行の際に前記無線接続が切断されていない第１移行パターンと、前記状態検出手段により使用状態が最後に検出された後に前記無線接続が切断されて省電力モードへ移行した第２移行パターンと、前記状態検出手段により使用状態が最後に検出されるより前に前記無線接続が切断されていて省電力モードへ移行した第３移行パターンとを、それぞれ判別する判別手段を備え、
省電力モードの解除後に前記無線接続を結ばせる処理を開始させるタイミングを、少なくとも前記第１移行パターンと前記第３移行パターン、或いは、前記第２移行パターンと前記第３移行パターンとで異ならせることを特徴としている。
【００１０】
請求項３記載の発明は、請求項２記載の電子時計において、
前記省電力解除制御手段は、
前記第１移行パターン又は前記第２移行パターンで省電力モードへ移行した場合に、省電力モードを解除する際に前記無線接続制御手段に無線接続を結ばせる処理を開始させる一方、
前記第３移行パターンで省電力モードへ移行した場合に、省電力モードを解除した後、所定時間を開けてから前記無線接続制御手段に無線接続を結ばせる処理を開始させる
ことを特徴としている。
【００１１】
請求項４記載の発明は、請求項２又は３に記載の電子時計において、
前記省電力解除制御手段は、
前記省電力モードの解除後に前記無線接続制御手段により無線接続を結ばせる処理を実行させて無線接続できなかった場合に、再度、無線接続を結ばせる処理を実行させるまでの時間間隔を、前記第３移行パターンで省電力モードへ移行した場合と、前記第１移行パターン又は前記第２移行パターンで省電力モードへ移行した場合とで異ならせる
ことを特徴としている。
【００１２】
請求項５記載の発明は、請求項２〜４の何れか一項に記載の電子時計において、
前記省電力解除制御手段は、
前記無線接続制御手段により無線接続を結ばせる一回分の処理時間を、前記第３移行パターンで省電力モードへ移行した場合と、前記第１移行パターン又は前記第２移行パターンで省電力モードへ移行した場合とで異ならせる
ことを特徴としている。
【００１３】
請求項６記載の発明は、請求項２〜５の何れか一項に記載の電子時計において、
前記状態検出手段が不使用状態を検出している継続時間を計数する不使用状態カウンタと、
前記無線通信手段の無線接続が切断されている継続時間を計数する無線切断時間カウンタと、
を備え、
前記判別手段は、前記無線切断時間カウンタの計数値と、省電力モードへ移行する前記不使用状態カウンタの計数値とに基づいて前記第１移行パターン〜前記第３移行パターンの判別を行うことを特徴としている。
【００１４】
請求項７記載の発明は、請求項１〜６の何れか一項に記載の電子時計において、
前記状態検出手段は、動きの有無を検出する動き検出手段を含み、動きの無いときに不使用状態の検出とすることを特徴としている。
【発明の効果】
【００１５】
本発明に従うと、省電力モードへの移行過程おける無線接続の状態に応じて省電力モードが解除された際の無線接続の処理態様を変化させるので、省電力モードの解除時に通信相手の外部装置が周囲に有るか無いかを適宜予測し、この予測に応じた態様で無線接続を結ぶ処理を行うことで、無駄な電力消費の削減を図ることができる。
【図面の簡単な説明】
【００１６】
【図１】本発明の実施形態の電子時計による通信システムを示す構成図である。
【図２】電子時計の全体構成を示すブロック図である。
【図３】電子時計のＣＰＵにより実行される通常モード処理の制御手順を示すフローチャートである。
【図４】電子時計のＣＰＵにより実行される省電力モード処理の制御手順を示すフローチャートである。
【図５】電子時計のＣＰＵにより実行される無線接続処理の制御手順を示すフローチャートである。
【発明を実施するための形態】
【００１７】
以下、本発明の実施の形態を図面に基づいて説明する。
【００１８】
図１には、本発明の実施形態の電子時計による通信システムを表わした構成図を示す。図２には、電子時計の全体構成を表わしたブロック図を示す。
【００１９】
この実施形態の電子時計４０は、図１に示すように、ユーザに装着されて使用される形態であるとともに、例えば携帯電話機１０と無線接続されてデータ通信を行うことで種々の連携機能を提供するものである。例えば、携帯電話機１０に音声着信やメール着信があった場合に、これらの着信情報をデータ通信により携帯電話機１０から電子時計４０に送って、電子時計４０が振動してユーザに通知したり、携帯電話機１０から正確な時刻データを電子時計４０に送って時刻修正を行ったり、種々の連携機能を提供する。
【００２０】
また、この実施形態の電子時計４０は、所定時間継続して不使用状態であると判別された場合に、例えば時刻の表示出力を停止させる省電力モードへ移行して電力の消費を少なくする省電力機能を有している。省電力モードへ移行した後、使用状態の検出がなされた場合には、停止させていた機能を再開させて通常モードへ復帰する。
【００２１】
電子時計４０は、図２に示すように、機器の全体的な制御を行うＣＰＵ（中央演算処理装置）４１と、ＣＰＵ４１が実行する制御プログラムや制御データを格納したＲＯＭ（Read Only Memory）４２と、ＣＰＵ４１に作業用のメモリ空間を提供するＲＡＭ（Random Access Memory）４３と、外部から指令を入力する操作用のスイッチ４４と、現在時刻データを計数する計時回路４５と、時刻表示や種々の機能表示を行う液晶表示部（ＬＣＤ）４６と、液晶表示部４６を駆動する液晶ドライバ４７と、アンテナＡＮ４１を介して近距離無線通信を行う無線通信手段としてのブルートゥースモジュール４８と、ブルートゥースモジュール４８を介して送受信されるデータに対してシリアル／パラレル変換等のデータ処理を行うＵＡＲＴ（Universal Asynchronous Receiver Transmitter）４９と、振動によりユーザに通知を行う振動モータ５０およびそのドライバ５１と、発光点滅等によりユーザに通知を行ったり文字盤を照らしたりする発光ダイオード５２およびそのドライバ５３と、ブザー音によりユーザにアラーム報知を行うピエゾ素子５４およびそのドライバ５５と、動き検出手段として動きの有無を検出する運動センサ５６と、ＣＰＵ４１と各部との間で信号をやり取りするバス５７等を備えている。上記構成のうちスイッチ４４と運動センサ５６とにより状態検出手段が構成される。
【００２２】
運動センサ５６は、例えば、電子時計４０を斜めにしたり水平にしたりすることで、オンからオフへ又はオフからオンへ開閉状態が切り替わる傾斜スイッチである。この運動センサ５６によれば、開閉状態の切り替えがあれば運動有りを検出したことになり、開閉状態の切り替えがなければ運動無しの状態を検出したことになる。
【００２３】
ブルートゥースモジュール４８は、携帯電話機１０のブルトゥーモジュールと無線接続を結んで電波によりデータ通信を行うものである。ブルートゥースモジュール４８は、無線接続の指令を受けると、周囲に無線接続を要求する信号を連続的に送信する。そして、周囲に接続対象として予め登録されている携帯電話機１０があれば、携帯電話機１０がこの無線接続の要求信号を受信して接続処理を行うことで、両者の無線接続が確立する。無線接続が結ばれた後は、互いに所定の時間間隔で電波の送受信を行うように設定されて低消費電力のデータ通信がなされる。
【００２４】
ＲＡＭ４３には、省電力カウンタ４３ａと、無線切断時間カウンタ４３ｂとが設けられている。省電力カウンタ４３ａは、不使用状態の継続時間を通常モード中に計数するカウンタであり、無線切断時間カウンタ４３ｂは、無線接続が切断されてからの継続時間を通常モード中に計数するカウンタである。
【００２５】
ＲＯＭ４２には、計時回路４５の計時データに従って時刻表示を行ったり設定時刻にアラーム動作を実行させたりする時計処理、スイッチ４４の入力に応じて動作モードの変更や各種の機能設定を行う操作入力処理、および、携帯電話機１０との連携処理等を実現する各種機能処理のプログラムと、通常モードの際に省電力モードへの移行管理の制御を行う通常モード処理のプログラムと、省電力モードの際に通常モードへの復帰管理の制御を行う省電力モード処理のプログラムと、無線接続を結んだり切断したりする無線接続処理のプログラム等が格納されている。上記の無線接続処理のプログラムとこれを実行するＣＰＵ４１により無線接続制御手段が構成される。また、通常モード処理のプログラムとＣＰＵ４１により省電力制御手段が、省電力モード処理のプログラムとＣＰＵ４１により省電力解除制御手段が構成される。
【００２６】
次に、この実施形態の電子時計４０の省電力モードと無線接続に関する処理について説明する。
【００２７】
図３には、電子時計４０のＣＰＵ４１により実行される通常モード処理のフローチャートを示す。
【００２８】
通常モード処理は、省電力モードへの移行条件を満たしたか否かの判別を行って省電力モードへの移行管理を行う制御処理である。この通常モード処理は、通常モードの際に、上記の時計処理、操作入力処理、携帯電話機１０との連携処理、および、無線接続処理の各処理と並列的に実行される。
【００２９】
通常モードになって通常モード処理が開始されると、まず、ＣＰＵ４１は、省電力カウンタ４３ａと、無線切断時間カウンタ４３ｂとを初期化（クリア）する（ステップＳ１）。続いて、ステップＳ２〜Ｓ８のループ処理により、無線切断時間カウンタ４３ｂと省電力カウンタ４３ａの更新処理を実行する。
【００３０】
すなわち、まず、ステップＳ２で無線接続が維持されているか判別し、切断されていればステップＳ３で無線切断時間カウンタ４３ｂをカウントアップし、維持されていればステップＳ４で無線切断時間カウンタ４３ｂをクリアする。
【００３１】
続いて、ステップＳ５においてスイッチ４４の入力または運動センサ５６の運動の検出が有るか判別し、その結果が“ＮＯ”であれば、ステップＳ７で省電力カウンタ４３ａをカウントアップし、“ＹＥＳ”であれば、ステップＳ６で省電力カウンタ４３ａをクリアする。
【００３２】
次いで、ステップＳ８において、省電力カウンタ４３ａの計数値が省電力モードへ移行させる不使用継続時間に対応する所定値“ＦＵＬＬ”になったか判別し、未だであればステップＳ２に戻る。
【００３３】
つまり、上記のステップＳ２〜Ｓ８のループ処理により、無線接続が切断された状態の継続時間が無線切断時間カウンタ４３ｂに計数され、且つ、電子時計４０が不使用状態（スイッチ入力も動きも無い状態）とされている継続時間が省電力カウンタ４３ａに計数されていく。
【００３４】
そして、電子時計４０が不使用状態のまま所定時間が経過すると、上記のループ処理において省電力カウンタ４３ａの計数値が所定値“ＦＵＬＬ”に達して、ステップＳ８の判別処理で“ＹＥＳ”と判別される。“ＹＥＳ”と判別されたら、ＣＰＵ４１は、ＲＡＭ４３中の状態フラグを通常モードから省電力モードの値に変更する（ステップＳ９）。この状態フラグの変更により、並列的に実行されている時計処理において液晶表示部４６の表示出力が停止されるとともに、無線接続処理において無線接続が結ばれている場合にこれを切断する処理が実行される。また、その他の処理が中断される。
【００３５】
状態フラグを省電力モードの値に変更したら、ＣＰＵ４１は、この通常モード処理を終了して、次に示す省電力モード処理を開始する。
【００３６】
図４には、省電力モード処理のフローチャートを示す。
【００３７】
省電力モード処理は、省電力モードから通常モードへの復帰条件を満たしたか否かの判別を行って通常モードへの復帰管理を行う制御処理である。この省電力モード処理は、省電力モードの際に、上記時計処理のうち省電力モードに対応した処理と並列的に実行される。
【００３８】
省電力モードになって省電力モード処理が開始されると、ＣＰＵ４１は、スイッチ４４からの入力の有無と、運動センサ５６の検出出力を監視して（ステップＳ１１）、スイッチ入力が有るか又は運動センサ５６で動き有りの検出がなされるまで、この監視処理を続ける。
【００３９】
そして、スイッチ入力または動き有りの検出がなされたら、次に進んで、まず、ＣＰＵ４１は、ＲＡＭ４３の状態フラグを省電力モードから通常モードの値に変更する（ステップＳ１２）。この状態フラグの変更により、並列的に実行されている時計処理において液晶表示部４６の表示出力が再開され、中断されていたその他の処理が再開される。
【００４０】
次いで、ＣＰＵ４１は、ステップＳ１３，Ｓ１４により、無線切断時間カウンタ４３ｂの値と、省電力モードへ移行される省電力カウンタ４３ａの計数値（＝所定値“ＦＵＬＬ”）とから、無線接続の状態がどのように切り替わってから省電力モードへ移行したか、その移行パターンの判別を行う（判別手段）。すなわち、まず、無線切断時間カウンタ４３ｂの値がゼロか否かを判別し（ステップＳ１３）、ゼロでなければ、無線切断時間カウンタ４３ｂの値が上記所定値“ＦＵＬＬ”以下であるか判別する（ステップＳ１４）。
【００４１】
その結果、無線切断時間カウンタ４３ｂの値がゼロである場合（第１移行パターンと呼ぶ）には、ＲＡＭ４３中の移行フラグに“１”をセットし、無線切断時間カウンタ４３ｂの値が所定値“ＦＵＬＬ”以下である場合（第２移行パターンと呼ぶ）には、移行フラグに“２”をセットし、無線切断時間カウンタ４３ｂの値が所定値“ＦＵＬＬ”より大きい場合（第３移行パターンと呼ぶ）には、移行フラグに“３”をセットする。
【００４２】
上記第１移行パターンは、電子時計４０が不使用状態（スイッチ入力も動きも無い状態）になった後も携帯電話機１０と無線接続が結ばれたまま所定時間が経過して、省電力モードへ移行したパターンである。この第１移行パターンでは、例えば、ユーザが電子時計４０を外してどこかへ置き、さらに、この電子時計４０の近くに携帯電話機１０も置かれている場合等が想定される。
【００４３】
第２移行パターンは、電子時計４０が不使用状態になってから携帯電話機１０との無線接続が切断され、その後に不使用状態の継続時間が所定時間に達して省電力モードへ移行したパターンである。この第２移行パターンでは、例えば、ユーザが電子時計を外してどこかへ置き、携帯電話機１０を持ったまま違う場所へ移動した場合等が想定される。
【００４４】
第３移行パターンは、電子時計４０が不使用状態となる前から携帯電話機１０との無線接続が切断され、その後に不使用状態の継続時間が所定時間に達して省電力モードへ移行したパターンである。この第３移行パターンでは、例えば、ユーザが携帯電話機１０をどこかに置いた後、電子時計４０を装着したまま違う場所へ移動し、その後に電子時計４０を外して離れた場所に電子時計４０を置いた場合等が想定される。
【００４５】
そして、上記の第１移行パターン〜第３移行パターンの判別結果に応じて移行フラグに値をセットしたら、この省電力モード処理を終了して、通常モード処理を開始する。この移行フラグは、省電力モードから通常モードへ復帰した際の無線接続を結ぶ処理態様を選択するのに使用される。
【００４６】
図５には、電子時計４０のＣＰＵ４１により実行される無線接続処理のフローチャートを示す。
【００４７】
この無線接続処理は、通常モードの際に、上述の通常モード処理、時計処理、操作入力処理、および、携帯電話機１０との連携処理の各処理と並列的に実行される。
【００４８】
無線接続処理では、ＣＰＵ４１は、モードの切り替わりを監視しながら、モードの切り替わりに応じた無線接続の処理を行う。すなわち、まず、ＲＡＭ４３の状態フラグを確認して省電力モードと通常モードとの切り替わりがあったか確認し（ステップＳ２１）、通常モードから省電力モードへの切り替わりがあればステップＳ２２へ、省電力モードから通常モードへの切り替わりがあればステップＳ２４へ、通常モードのままであればステップＳ２９へ、それぞれ移行する。
【００４９】
その結果、通常モードから省電力モードへの切り替わりがあれば、現在、無線接続されている状態か確認し（ステップＳ２２）、無線接続が無ければそのままステップＳ２１へ戻るが、無線接続されていればブルートゥースモジュール４８へ切断の指令を発して無線接続を切断させる（ステップＳ２３）。その後、ステップＳ２１へ戻る。
【００５０】
また、省電力モードから通常モードへの切り替わりがあれば、ＲＡＭ４３中の移行フラグの値に応じた判別処理を行って（ステップＳ２４）、移行フラグの値に応じた無線接続の処理を実行する。
【００５１】
すなわち、移行フラグの値が“１”または“２”であれば、すぐにブルートゥースモジュール４８へ接続の指令を発して無線接続を開始させる（ステップＳ２６）。一方、移行フラグの値が“３”であれば、所定時間の待機処理（ステップＳ２５）を行ってから無線接続を開始させる（ステップＳ２６）。
【００５２】
無線接続を開始させたら、接続が成功したか確認し（ステップＳ２７）、成功していればステップＳ２１へ戻る。一方、成功していなければ規定回数繰り返したか確認し（ステップＳ２８）、まだ、規定回数繰り返していなければ、再び、ステップＳ２６からの処理を繰り返す。無線接続の処理を規定回数繰り返しても接続が成功しなければ、近くに通信相手の機器（携帯電話機１０）が無いと判断できるので、無線接続がないままステップＳ２１に戻る。
【００５３】
また、ステップＳ２１の判別処理で通常モードのままであれば、スイッチ４４を介して無線接続や切断を指令する操作入力の有無を確認し、無ければ何も実行せず、有れば、これらの操作入力に応じて無線接続を開始させたり切断させたりする処理を行う（ステップＳ２９）。そして、ステップＳ２１に戻る。
【００５４】
上記の無線接続処理により、第１移行パターンで省電力モードへ移行した場合には、先に説明したように、電子時計４０と携帯電話機１０とが近くに置かれている場合が想定され、電子時計４０が動かされて通常モードに復帰した際にも近くに携帯電話機１０があると推測できるため、このような状態に応じて直ぐに無線接続が開始される。
【００５５】
また、第２移行パターンで省電力モードへ移行した場合には、電子時計４０が置かれた後にユーザが携帯電話機１０を携帯したままどこかへ移動した場合が想定され、電子時計４０が動かされて通常モードに復帰した際にはユーザが携帯電話機１０を携帯していると推測できるため、このような状態に応じて直ぐに無線接続が開始されるようになっている。
【００５６】
また、第３移行パターンで省電力モードへ移行した場合には、携帯電話機１０がどこかへ置かれた後に、ユーザが別のところへ移動して電子時計４０を置いた場合が想定され、電子時計４０が動かされて通常モードに復帰した際には、ユーザが電子時計４０を装着してから携帯電話機１０のところまで移動する期間をおいて、電子時計４０と携帯電話機１０とが近づくと推測されるため、このような状態に応じて所定時間待機してから無線接続が開始されるようになっている。
【００５７】
なお、無線接続処理において、電子時計４０が通常モードに復帰した際の無線接続の処理態様は、上記の例に制限されず、次のような変形例を適用しても良い。例えば、移行フラグの値が“１”のときには、高い確率で携帯電話機１０が近くにあると推測できることから、直ぐに無線接続を開始させるとともに、無線接続が成功しない場合には、短い時間（第１時間）を開けて無線接続の処理を規定回を限度に繰り返し行うようにする。移行フラグの値が“２”のときには、中程度の確率で携帯電話機１０が近くにあると推測できることから、直ぐに無線接続を開始させるとともに、無線接続が成功しない場合には、上記第１時間よりも長い中程度の時間（第２時間）を開けて無線接続の処理を規定回を限度に繰り返し行うようにする。移行フラグの値が“３”のときには、一定時間経過しないと携帯電話機１０と近くにならない確率が高いと推測できることから、自動的な無線接続を行わずにユーザ操作により無線接続を行うようにする。このような処理態様としても良い。
【００５８】
その他、無線接続を結ぶために相手機器（携帯電話機１０）からの応答を待ちつつ接続要求の信号を送信し続ける一回の無線接続の処理時間を、移行フラグの値に応じて異ならせるようにしても良い。また、無線接続が成功しなかった場合に、再度、無線接続の処理を行うまでの時間間隔を、移行フラグの値に応じて異ならせるようにしても良い。
【００５９】
以上のように、この実施形態の電子時計４０によれば、無線接続の状態がどのように切り替わって省電力モードへ移行したか、その移行パターンに応じて、通常モードに復帰した際の無線接続の処理態様を変化させている。したがって、電子時計４０が使用状態にされたときに携帯電話機１０が近くにあるか、暫く経過してから近くになるかを適宜推測することができ、この推測に基づく態様で無線接続の処理を実行させることで、効率的な無線接続の処理を実現することができる。
【００６０】
また、この実施形態の電子時計４０によれば、省電力モードへ移行するパターンとして第１移行パターン〜第３移行パターンの判別を行っているので、この判別により、普段、ユーザにより一緒に携帯される機器（電子時計４０と携帯電話機１０など）が、自宅などでどのような順番で置かれるか、近くに置かれているか、離れて置かれているかなどの状況を適宜推測することができる。そして、この判別結果に基づいて、その後にユーザがこれらの機器を携帯する際に、どのような順番で携帯し、電子時計４０が携帯されたときに相手機器（携帯電話機１０）が近くにあるか離れているかを適宜推測することができる。それにより、電子時計４０が通常モードに復帰した際の無線接続の処理を適宜な態様で実行させることができる。
【００６１】
具体的には、第１移行パターンと第２移行パターンで省電力モードへ移行した場合には、通常モードへの復帰の際にすぐに無線接続を開始させ、第３移行パターンで省電力モードへ移行した場合には、通常モードへ復帰してから所定時間を開けて無線接続を開始させるようにしている。したがって、電子時計４０が携帯されて通常モードに復帰した際に、携帯電話機１０が近くにあると推測できる場合には直ぐに無線接続の処理が開始されて、推測が正しい場合に直ぐに両機器を無線接続の状態にすることができる。また、携帯電話機１０が離れていると推測できる場合には所定時間を開けて無線接続の処理が開始されて、無駄な無線接続の処理により消費電力が増大するのを回避することができる。
【００６２】
また、変形例として示したように、第１移行パターン〜第３移行パターンの判別結果によって、通常モードへ復帰した際に成功するまで無線接続の処理を繰り返し実行する際の処理間隔を変化させたり、一回の無線接続の処理の時間長を変化させたりすることで、より細かくこれらの状況にあった無線接続の処理を行うことができる。
【００６３】
また、この実施形態の電子時計４０によれば、省電力カウンタ４３ａと無線切断時間カウンタ４３ｂとにより、通常モードから省電力モードへ移行する際の不使用状態の継続時間と無線接続が切断している継続時間とを計数して、上記の第１移行パターン〜第３移行パターンの判別が行われるようになっている。したがって、このような判別を負荷の小さな処理により確実に行うことができる。
【００６４】
また、この実施形態の電子時計４０によれば、不使用状態を検出するのに運動センサ５６を備えているので、ユーザに装着されている状態と、どこかに置かれている状態とを識別して、不使用状態の検出を正確に行うことができる。
【００６５】
なお、本発明は、上記実施の形態に限られるものではなく、様々な変更が可能である。例えば、上記実施形態では、通信相手の外部装置として携帯電話機１０を例示したが、例えば、ＰＤＡ（Personal Digital Assistant）などの携帯型のコンピュータ、デジタルカメラ、歩数計などの携帯型の計測機器など、種々の装置を適用しても良い。
【００６６】
また、不使用状態を検出する状態検出手段として、運動センサ５６や操作入力が行われるスイッチ４４を適用し、電子時計４０の非装着状態を不使用状態として検出する例を示したが、さらに、外光の入射を検出する光センサを状態検出手段に含めて、外光の入射があるときには使用状態と判別するようにしても良い。また、運動センサ５６として、傾斜センサのほかに加速度センサや振動センサを適用しても良い。
【００６７】
また、上記実施形態では、第１移行パターン〜第３移行パターンの判別を行うようにしているが、例えば、電子時計４０がどこかへ置かれた後に無線接続が切断されるまでの時間間隔に応じてさらに細かい省電力モードへの移行パターンを判別し、この判別結果に応じて通常モード復帰時の無線接続の処理態様を選択するようにしても良い。
【００６８】
その他、省電力モードにおける電子時計の動作内容、無線通信の方式など、実施形態で示した細部は発明の趣旨を逸脱しない範囲で適宜変更可能である。
【符号の説明】
【００６９】
１０      携帯電話機
４０      電子時計
４１      ＣＰＵ
４２      ＲＯＭ
４３      ＲＡＭ
４３ａ    省電力カウンタ（不使用状態カウンタ）
４３ｂ    無線切断時間カウンタ
４４      スイッチ
４５      計時回路
４６      液晶表示部
４８      ブルートゥースモジュール
５６      運動センサ
【図１】
0005589810.tif 000002
【図２】
0005589810.tif 000003
【図３】
0005589810.tif 000004
【図４】
0005589810.tif 000005
【図５】
0005589810.tif 000006